(57)【要約】電気通信分配点の端子ブロック（６４）は、少なくとも１つの加入者接点群、少なくとも１つのＸＤＳＬ接点群、少なくとも２つのバックボーン接点群であって、第１群の各々のバックボーン接点が、第２群のバックボーン接点に接続されている接点群、及び加入者接点、ＸＤＳＬ接点及び第１及び／又は第２群のバックボーン接点に接続された少なくとも１つのスプリッタアセンブリ（３２）からなる。１つの分配点は、少なくとも１つのこのような端子ブロックからなる。
2004528758.tif 000002
【特許請求の範囲】
【請求項１】
少なくとも１つの加入者接点群
少なくとも１つのＸＤＳＬ接点群
少なくとも２つのバックボーン接点群であって、第１群の各々のバックボーン接点が、第２群のバックボーン接点に接続されている接点群、及び
前記加入者接点、前記ＸＤＳＬ接点及び、前記第１及び／又は第２群の前記バックボーン接点に接続された少なくとも１つのスプリッタアセンブリ（３２）
からなる、電気通信分配点の端子ブロック（６４）。
【請求項２】
前記少なくとも１つの群の接点、好ましくは少なくとも前記加入者接点が、分離接点で構成されていることを特徴とする請求項１に記載の端子ブロック。
【請求項３】
前記加入者接点及び前記第１群の前記バックボーン接点が、共通の列（２０）内に配置されており、前記ＸＤＳＬ接点及び前記第２群の前記バックボーン接点が、共通の列（２６）内に配置されていることを特徴とする請求項１又は２に記載の端子ブロック。
【請求項４】
前記加入者接点及び前記第１群の前記バックボーン接点が、下部列に配置されていることを特徴とする請求項３に記載の端子ブロック。
【請求項５】
前記ＸＤＳＬ接点及び前記第２群の前記バックボーン接点が、上部列に配置されていることを特徴とする請求項３又は４に記載の端子ブロック。
【請求項６】
前記第１群及び第２群の前記バックボーン接点が、前記スプリッタアセンブリ（３２）を介して相互に接続されていることを特徴とする請求項１〜５の少なくとも一項に記載の端子ブロック。
【請求項７】
前記スプリッタアセンブリ（３２）が、接点（３４、３６）からなることを特徴とする請求項１〜６のいずれか一項に記載の端子ブロック。
【請求項８】
スプリッタアセンブリ（３２）の接点（３４、３６）が、２列に配置されていることを特徴とする請求項７に記載の端子ブロック。
【請求項９】
前記スプリッタアセンブリ（３２）の前記接点が、前記端子ブロックの前記接点に直接電気的に接続されていることを特徴とする請求項１〜８のいずれか一項に記載の端子ブロック。
【請求項１０】
前記スプリッタアセンブリ（３２）が、前記端子ブロックの接点の後ろに配置されていることを特徴とする請求項１〜９のいずれか一項に記載の端子ブロック。
【請求項１１】
接地手段（３８）と接触した状態で、シールドワイヤ接点も具備されていることを特徴とする請求項１〜１０のいずれか一項に記載の端子ブロック。
【請求項１２】
前記接地手段（３８）が、事実上全表面に形成されていることを特徴とする請求項１１に記載の端子ブロック。
【請求項１３】
前記接地手段（３８）が、ワイヤ接点に接続する接点をもつ接地用プレートであることを特徴とする請求項１１又は１２のいずれか一項に記載の端子ブロック。
【請求項１４】
前記接地手段（３８）が、前記スプリッタアセンブリ（３２）の回路板を収容するための支持手段（８０）をからなることを特徴とする請求項１１〜１３のいずれか一項に記載の端子ブロック。
【請求項１５】
前記端子ブロックが、ワイヤガイド（１８）からなることを特徴とする請求項１〜１４のいずれか一項に記載の端子ブロック。
【請求項１６】
前記ワイヤガイドが、コンジイット（１８）として形成されていることを特徴とする請求項１５に記載の端子ブロック。
【請求項１７】
請求項１〜１６のいずれか一項に記載の少なくとも１つの端子ブロックを含む分配点。
【発明の詳細な説明】
【技術分野】
【０００１】
本発明は、電気通信分配点端子ブロック及び本発明に従った端子ブロックを含む分配点に関する。
【０００２】
電気通信分配点、より具体的には主配線盤においては、加入者回線は、好ましくは、交換機（電話局）に通じているバックボーン又は従来型電話サービス（ＰＯＴＳ）回線に、好ましくは、柔軟な形で接続されている。この目的で、加入者回線及びバックボーン回線の両方が、適切な終端モジュール、より具体的には端子ブロックに適用され、パッチ（交差接続）盤により柔軟な形で相互接続されている。個々の加入者へ、あるいは、加入者から伝達される必要のある新しいサービスでは、加入者を従来の交換機（電話局）の設備に対してだけではなく、例えばＡＤＳＬ、ＸＤＳＬ、又はＤＳＬＡＭ（デジタル加入者回線アクセスマルチプレクサ）などの広帯域サービスといったような、新しいサービスを伝達するために必要とされるような手段に対しても、接続することが必要となる。加入者から来た信号を分岐するためには、スプリッタ又はスプリッタアセンブリ、すなわち特定の周波数範囲の信号をバックボーン回線に渡し、その他の周波数範囲の信号を、この場合ＸＤＳＬ回線と呼ばれる回線に渡すためのクロスオーバネットワークとして実質的に作用する、高域フィルタ及び／又は低域フィルタが必要とされる。
【背景技術】
【０００３】
ＥＰ  ０  ９０９  １０２  Ａ２は、主配線盤内で、どのようにスプリッタアセンブリを配置すべきかについて記載している。この配置においては、必要なコンポーネントが取付けられている回路板からなる複数のスプリッタが、終端システム内で利用されるピン領域の後方に配置されている。このタイプの配置をより柔軟性のあるものにし、既存の設備と互換性あるものにするべく改善する必要がある。
【０００４】
更に、各々の電子スプリッタアセンブリと共に１つのブロックの中に内蔵されている終端用バックボーン加入者及びＸＤＳＬ回線を有する、Corning Cables Systemsによって作られたＡＤＳＬスプリッタブロックＳ５０００と呼ばれるスプリッタブロックが存在する。
【発明の開示】
【発明が解決しようとする課題】
【０００５】
本発明は、柔軟性を付加するための内蔵型スプリッタを有する端子ブロックを提供することにある。
【課題を解決するための手段】
【０００６】
本発明は、少なくとも１つの加入者接点群、少なくとも１つのＸＤＳＬ接点群、少なくとも２つのバックボーン接点群であって、第１群の各々のバックボーン接点が、第２群のバックボーン接点に接続されており、かつ加入者接点、ＸＤＳＬ接点及び第１及び／又は第２群のバックボーン接点に接続された少なくとも１つのスプリッタアセンブリからなる、電気通信分配点の端子ブロックを提供している。
【０００７】
本特許において、「ＸＤＳＬ」という語は、例えばＳＤＳＬ、ＨＤＳＬ、ＴＤＳＬなどと呼ばれているＡＤＳＬ（非対称デジタル加入者回線）に基づくあらゆるＤＳＬ技術を表す。一般に、これらの技術は、一定の与えられた時点で分岐する必要のある異なる信号を通信する「分離した周波数位置が関与する方法」と呼ぶことができる。電気通信分配点端子ブロックは、少なくとも４つの接点群を含む。これらの群は、ブロックのモジュール内にまとめられている。加入者回線（及びその接点）を終端するために提供される第１群の接点は、加入者接点と呼ばれる。ＸＤＳＬ回線（及びその接点）を終端させるために提供される第２群は、「ＸＤＳＬ接点」と呼ばれる。
【０００８】
第３及び第４群の接点が、バックボーン回線の終端のために提供され、「バックボーン接点」と呼ばれる。各々の接点群は、おおよそ同じ数の接点を含む。かくして、バックボーン接点は実質的複製され、以下で詳述されるように、これが柔軟性を増す。２つの群の「バックボーン接点」は、オプションとして、１つのバックボーン回線が１つで終端される、又はバックボーン接点の相互接続された対の他方のバックボーン接点により終端されるというような形で、互いに接続されている、という点に留意を要する。
【０００９】
本発明に従った端子ブロックは、加入者接点、ＸＤＳＬ接点及び少なくとも１つのバックボーン接点に接続される単数又は複数の回路板を含む電子スプリッタアセンブリからなる。スプリッタアセンブリは、バックボーン接点及びＸＤＳＬ接点へと、加入者接点に到達した、例えば、加入者回線によって伝達された信号を分岐する。逆の方向では、さまざまな信号が同様に一緒にされている。本発明が、いかなる形であれ、分離した周波数が関与する特定の方法又は技術に限定されず、一般に、１つの単一の導線を介して伝達された信号が、一定の与えられた時間に分岐されなくてはならない場合、つねにその利点を示すものである、という点に留意すべきである。従って、「ＸＤＳＬ接点」という語は、広義で解釈されなくてはならない。
【００１０】
上述のように、スプリッタアセンブリが、少なくとも１つのバックボーン接点群に接続され、かつ、２つのバックボーン接点群を互いに接続することができるという事実に起因して、バックボーン回線を、相互接続された対のうちのいずれかのバックボーン接点で終端させることも可能である。この場合、加入者接点群及び第１のバックボーン接点群が、端子ブロック内で単一の接点列の形で配置されていること、及びＸＤＳＬ接点及び第２のバックボーン接点群が、端子ブロック内で単一の列に配置されていることが好ましい、という点に留意を要する。加入者接点及び第１のバックボーン接点群の列は、同様に好ましくは、端子ブロック内でＸＤＳＬ及び第２のバックボーン接点の列よりも下に位置設定される。換言すると、上下両方の列に、バックボーン接点が存在し、各々のバックボーン接点は、以下で詳述するように、他方の列のバックボーン接点と相互に接続されている。分配点の共通のアーキテクチャのバックグラウンドに対し、このことは、以下のような利点を結果としてもたらす。
【００１１】
端子ブロックを用いて分配点を新たに構成する必要がある場合、加入者回線は、端子ブロックの下側にもって来られる。換言すると、加入者回線は、通常、端子ブロックの下部接点列によって形成された、いわゆる「交差接続側」にあてがわれる。端子ブロックの上部接点列は、一方ではバックボーン回線を、又他方ではＸＤＳＬ回線を終端させるために使用される。この場合、下部接点列内のいわゆる「第３群」のバックボーン接点が、自由な状態になっている。
【００１２】
しかしながら、下部列内のこれらの未接続バックボーン接点は、すでに設置され使用中であるバックボーンモジュールと端子ブロックを組合せなくてはならない場合、スプリッタを「ループイン」するために使用することができる。この場合、既存のバックボーンモジュールをそのままの状態で放置することができ、又加入者回線を通常通り端子ブロックの接点に対し、交差接続側で終端させることができる。スプリッタと共に端子ブロックをループインするためには、加入者と既存のバックボーンモジュールの間の既存の交差接続は、切られ、バックボーン回線は、同様に交差接続側で、すなわち端子ブロックの第３群の接点で下側で終端される。換言すると、既存のバックボーンモジュールは、端子ブロックに交差接続され、分配点の共通のアーキテクチャ、すなわち、下側で交差接続回線を終端させ、それらをブロックの右側に渡すアーキテクチャを保有する。この場合、端子ブロックの上部接点列内にあるいわゆる第４群のバックボーン接点は、自由な状態のままである。
【００１３】
すでに言及したように、第３及び第４群のバックボーン接点のうちの各接点は、もう１つの接点に接続されていることから、この場合も又、加入者回線が、ＸＤＳＬ回線及びバックボーン回線の両方に確実に接続される。分配点を新たに取り付ける必要のある構成とは異なり、記述されている通りにスプリッタをループインさせることにより、バックボーン回線は、かくして交差接続側を通って、すなわち、通常通り下側かつ右方へ導き出される結果となる。従って、端子ブロックは、バックボーン回線の終端に関して、さらに取扱い易くし、配置をより整然とさせて、柔軟性を高める。さらに、分離配置により、試験が可能となる利点がある。
【００１４】
少なくとも１つの接点群、好ましくは加入者接点群が、電気的に分岐、切断又は分離する接点で構成されていることが好ましく、このことは、試験のために加入者回線を分岐、切断又は分離でき、かくして、残りの接点及びそこに終端された回線を試験のために分離できることから、端子ブロックにとって有利な点である。
【００１５】
基本的に、第１群から第４群までの接点のあらゆる配置が考慮でき、この構成及びさまざまな接点に対し、バックボーン回線を終端できる可能性があり、このことが、すでに、柔軟性を付加して整然とした配置を可能にしている。しかし、すでに言及した通り、加入者接点とバックボーン接点群が、好ましくは、端子ブロックの下部列を形成する共通の列内に提供されていることが好ましい。従って、ＸＤＳＬ接点及び第２のバックボーン接点群の接点は、好ましくは、端子ブロックの上部接点列である共通の列内に提供される。この配置では、さらに、両方の列のバックボーン接点は、互いの上方に配置され、かくしてそこにバックボーン回線を終端させることができるように、これらの接点が互いに整然とした配置で接続されていることが好ましい。
【００１６】
２つの群のバックボーン接点間の接続のためには、あらゆる構成を考慮することができるが、スプリッタアセンブリが、２つの群のバックボーン接点を互いに接続するような形で構成されていることが好ましい。この実施形態におけるスプリッタアセンブリは、一方では、ＸＤＳＬ回線へと、又他方では、バックボーン回線へと、加入者回線側の信号を分岐するだけではなく、オプションとして、バックボーン回線が、両方の群のバックボーン接点により終端され得るように、バックボーン接点の第１群及び第２群の間の接続をも行なう。
【００１７】
基本的には、スプリッタアセンブリのためには、あらゆる任意の構成を考えつくことができる。より具体的には、端子ブロックの接点の各々を、スプリッタアセンブリ、又はその回路板導線、又はコンポーネントに対し、固定的に接続しておくことができる。しかし、スプリッタアセンブリが、端子ブロックの接点をそこから分離した形で接続するための独自の接点からなる場合、端子ブロックのために十分に試行された接点を使用することは、特によい方法である。
【００１８】
さらに、スプリッタアセンブリの接点が、端子ブロックの接点に対し直接電気的に接続されていることが特に好ましい。換言すると、通常、従来技術において必要とされているように、スプリッタアセンブリをその接点に差込むことのできるエッジコネクタに、又はそれに類するものに、端子ブロックの終端接点を接続することは必要ではない。その代わり、スプリッタアセンブリの接点は、端子ブロックの前側の方向に延ばし、かくしてこれらの接点は、端子ブロックの接点に対し直接電気的に接続されるようになっている。ここで、特に有利な実施形態が、分離用接点の各々の前側で、スプリッタアセンブリの接点に接続する分離用接点の各々の第２の接点側と接触した状態で回線を終端できるように、分離用接点として端子ブロックの全ての接点を構成することからなる、という点に留意を要する。接点は通常２列で配置されていることから、いわば２つの分離用接点列からなる２重モジュールは、全ての接点が分離用接点として提供されるという実施形態の形で実現されている。より具体的には、回線を、分離用接点の外側「半分」で終端させることができるものの、例えば、適切な手段でカバーされている「内部」半分でいかなる回線も終端されるべきではない。しかし、この場合、スプリッタアセンブリの接点は、内部の分離用接点の各々の内部「半分」に、又その後ろで接点とみなし、電気的に接続され得る。
【００１９】
上記のように、スプリッタアセンブリは、好ましくは、端子ブロック内の接点の後ろに提供され、かくして、スプリッタアセンブリが、複数の端子ブロックを間にはさみ、その結果、比較的厚みの大きいアセンブリがもたらされるという従来技術の構成と異なっている。これとは対照的に、本発明は、スプリッタアセンブリを接点の後ろに位置づけできることから、よりコンパクトなアセンブリを可能とする。ここで、「後ろに」という語は、加入者接点、ＸＤＳＬ接点及びバックボーン接点を露出し、そこへのケーブル接続を可能にしている側に、端子ブロックの前側が形成されていると解釈している。ブロックのこの露出された前側との関係において、スプリッタアセンブリは、好ましくは、端子ブロックの接点の後ろに配置される。
【００２０】
シールド可能で、かつ、対としてシールド用ワイヤを含む回線において、端子ブロックを終端させる場合、シールド用ワイヤ接点として使うさらなる接点群が提供されることがよい方法である。これらのシールドワイヤ接点は、一般に、加入者接点の近くに配置され、かくして、加入者接点のシールドワイヤをそこで終端できるようになっている。シールドワイヤの接地は、この場合、シールドワイヤ接点と接触した状態で接地手段を付加的に含む端子ブロックにより行なわれる。さらに、接地手段は、シールドワイヤ内に誘起された電圧を接地できるように、その一部が金属製のトレイ又はラック取付けシステムの一部分と接触状態にあるように構成されている。
【００２１】
さらに、付加的に提供される接地手段は、好ましくは、例えば、全面にわたり実質的な開口部を全くもたない実質的に平らなシートの形で提供された場合、スプリッタアセンブリの付近に、スプリッタアセンブリの回路板に対し平行に提供され、端子ブロックの個々のスプリッタアセンブリを互いにシールドする接地プレートを設置することになるため、シールド手段として利用することができる。１変形形態としては、特定の利用分野においては、（シールド手段と平行に配置された回路板上に提供された）スプリッタアセンブリの比較的厚いか、又は背の高いコンポーネントに適応させた開口部が、接地手段に含まれていることが有利であり得る。
【００２２】
さらに、接地手段が、少なくとも１つの回路板を支持するための支持手段を含んでいることが好ましい。好ましくは、大きく平坦な接地用プレートとして提供される接地手段に関しては、さらに、その開示が、本願で参考として内含されている、同じ日付で当該出願人が提出した出願「接地用プレート及びそれを内含する電気通信モジュール及びモジュールを内含する電気通信ラック取付けシステム」を参照のこと。
【００２３】
さまざまな回線を誘導する時に整然とした配置を得るためには、端子ブロックの特長として、さらに、ワイヤガイドが含まれることが好ましい。これらは、例えば、標準的な分配点アーキテクチャに従って、下部側すなわち交差接続側の回線を右に、又上部側すなわちケーブル配線側の回線を左へ導くような形で構成し得る。この配置では、交差接続回線が通常シールドされ、かくして、より大きい直径を特長として有することから、各モジュールの上部側のすなわちケーブル配線側のワイヤガイドが、下部側すなわち交差接続側のワイヤガイドよりも小さく構成されることが好ましい。
【００２４】
この場合、各対を誘導するのに適合したコンジイットとしてワイヤガイドを提供することが特に好ましい。
【００２５】
本発明に従った端子ブロックを単独で有利に使用することもできるが、本発明によると、完全な分配点、好ましくは、主配線盤に、少なくとも１つのこのような端子ブロックを提供することが好適である。
【発明を実施するための最良の形態】
【００２６】
ここで、図面に示されているとおりに実施例を用いて、本発明について記述する。
【００２７】
ここで図１を参照すると、上部１２及び下部ワイヤ誘導手段１４ならびに２枚のサイドプレート１６により形成されたハウジングから実質的に構成された端子ブロックの一部としての端子モジュール１０を例示している。図１の右側で明らかなように、図示されたとおりの実施形態の各々のワイヤ誘導手段１４の中には、各々１対（図示せず）を収容し各対をモジュール１０の前側にある接点まで誘導するために提供された１０本のコンジイット１８を形成している。コンジイット出力端１８．１を、下部接点列２０の最も右側の接点対まで誘導している。図１に示されている通りに形成されているコンジイット出力端１８．１０は、対（図示せず）を接点列の最も左側の接点対まで誘導する。この構成は、モジュール１０の下部接点列に対して、モジュール上の下側に提供されている交差接続側に対して一般的で、十分に試行されたアーキテクチャにおいて通例であるように、回線が右へと誘導されることを確にしている。同様にして、上側にあるワイヤガイド手段１２は、個別に指示されたダクト内を誘導された対が、左側へと誘導されるような形で形成されている。モジュール１０の後部に、一方には、束になった回線誘導のためにワイヤガイド２２が提供され、他方には、モジュールを適切にラック取付けできるようにするラッチ手段２４が、端子モジュール１０の後側に見えている。
【００２８】
図１に示されているような実施形態においては、前側に実質的に２列の接点、つまり下部接点列２２と上部接点列２６が提供され、図示された実施形態では、その全ての接点が、以下で詳述するとおりの分離用接点として提供されている。さらに、接点は、ＩＤＣ接点として形成されている。すなわち、絶縁物が少なくとも部分的に取り除かれ、接点が電気的に心線に接続されるという形で、ケーブルが中に押し込まれ得る１つの接点スロットであることを特長として有している。この場合、特定の利用分野については、使用される接点が、並置された２つの接点スロット、換言すると、２つのＩＤＣゾーンからなり、かくして、２本の導線が並置状態で終端され得るようになっていることが好ましい。しかしながら、図示されている実施形態においては、ケーブルを終端するために各ケースにおいて、分離用接点の「外側」半分のみが使用される。換言すると、回線が終端されるのは、上部列２６の接点の上部部分及び下部列２０の下部部分に対してのみである。接点の各々２つの内側部分は、２つの実質的にＬ字形のマーキング用ストリップ２８によって有効にカバーされている。接点列を形成するために十分に試行されたという分離用接点をもつ実質的に２つの分離用モジュールを使用していることから、図示されたモジュール１０を２重モジュール構造と呼ぶことができるのは、この構造に起因している。従って、全ての接点は、試験を楽にする手段が実現されるように、図示された実施形態において有効に分離用接点として形成される。すでに述べた通り、分離用接点の各々の内側部分は、回線終端のために使用されるのではなく、スプリッタアセンブリとの接点を接続するために使用される。
【００２９】
ここで図２を参照すると、上部誘導手段１２及び下部誘導手段１４によって、そのハウジングが形成されているモジュールの構造を示して、これがいかに達成されるかが例示されている。図２から明らかであるように、この誘導手段は、各ケースにおいて、サイドワイヤガイド２２及び後部ラッチング手段２４の一部分を形成している。これらの部品は、これらの引用された手段の残りの部分からなる側方部品１６によって補完されている。ハウジングの内部に収容され、より具体的にはモジュール１０の前側に面しているのは２つの分離用モジュール３０であり、その接点は、記述されている通りの方法及び手段によって用いられる。さらに、図２において明らかなことは、分離用モジュール３０の隣接する内部接点列をカバーするためにマーキングストリップ２８をいかに具備するかである。
【００３０】
分離用モジュール３０の後ろの部分に提供されているのは、フィルターコンポーネントが取付けられ、電気的に接続されている回路板によって実質的に形成されたスプリッタアセンブリ３２である。図示されている実施形態においては、スプリッタアセンブリは、前側に、２列の接点つまり上部列３４及び下部列３６から構成されている。以下で詳述するように、下部列３６の接点は、下部分離用モジュール３０の内側表面の開口部（図２には図示せず）を介して、分離用モジュール３０の接点に電気的に接続されている。さらに、上部列３４の接点は、上部分離用モジュール３０の内側表面の開口部を介して分離用モジュール３０の接点の内側部分に電気的に接続されている。
【００３１】
スプリッタアセンブリの接点は、一方では、分離用モジュール３０の接点積重ね配置に対する接続を確保し、終端の柔軟性を高めるように各々の分離用モジュールは、バックボーン回線で終端するために提供されており、又他方では、スプリッタアセンブリの接点が、下部分離用モジュール３０の加入者接点に接続され、バックボーン接点と接触状態にある上部接点列３４の接点、及びＸＤＳＬ接点と接続する上部接点列３４の接点とに分岐する、フィルターコンポーネントを通して適切な方法及び手段により入力信号が誘導されるようになる。さらに、本発明に従った端子ブロックのスプリッタアセンブリは、受動フィルタであり、例えばマルチプレクサの形での能動フィルタではないということに留意を要する。
【００３２】
さらに図２から明らかであるのは、図示されているような実施例において、下部分離用モジュール３０のいくつかの接点に電気的に接続されており、その前側に目立ったフィンガー状の接点４０を有する接地手段として機能する接地プレート３８である。下部分離用モジュール３０のこれらの接点は、終端された対のシールドワイヤを終端し得るシールドワイヤ用接点として提供されている。シールドワイヤ接点及び接地用プレート３８を介して、シールドワイヤ内で誘発された電圧を大地まで降下させることができる。この配置においては、接地用プレート３８は、スプリッタアセンブリ３２のシールドを達成する全表面域として実質的に役立つように形成される。より具体的には、スプリッタアセンブリ３２内のフィルターコンポーネントが占めていない部分のみ、開口部４２が提供されている。この好ましい実施形態において、接地用プレート３８の後部に具備されているのは、スロット４４と先のとがった突起４６であり、これを用いて、すなわち、バネ及び「かき削り」の組合わさった作用によって、存在するあらゆる酸化物フィルムを除去して、後方ラック取付けシステムとのすぐれた電気的接続を確保することが可能となっている。
【００３３】
図３を参照すると、断面図の形で、モジュール１０の構成が、より詳細に例示されている。図３の左側から明らかであるように、２つの分離用モジュール３０は各々、分離場所５０において並置された状態で終端された、２つの事実上対称な「半分」からなる分離用接点４８からなり、この分離場所５０において、接点対は適切なテスト又は分離用プラグを挿入することによって、モジュール１０の前側から分離し得る。同様に図３から明らかであるように、スプリッタアセンブリ３２は、（図３には詳しく示されていない）前側に形成されているその接点により、分離用接点４８の内側半分に向かって、すなわち、上部分離用接点の下部半分及び下部分離用接点の上部半分に向かって延びており、それにより電気的接続が達成されることになる。分離用接点４８のこれらの部分が、回線終端のために予想外に利用されることのないように、分離用接点４８の内部列の前側に形成されたＩＤＣ接点は、マーキングストリップ２８によってカバーされている。ここで、通常の分離用接点を利用することには、十分に試行された構造を使用し続けることができるという実質的利点がある、という点に留意を要する。
【００３４】
さらに、断面図で表わされた図３から明らかであるのは、実施形態において、下部分離用モジュール３０のいくつかの接点の分離場所５０に向かっているフィンガー接点４０によって表わされているように延長している接地用プレート３８である。接地用プレート３８を接続している接点は、加入者回線のシールドワイヤを終端させ、かつ、接地するためのシールドワイヤ接点として用いられる。この目的のため、特に、接地用プレート３８の後側の上に形成されている先のとがった先端部４６が、ラック取付けシステムの１部に対し電気的に接続されている。
【００３５】
図４を参照すると、図１〜３に示されているようなモジュールの接点で可能となる都合のよい配置が例示されている。図４に示されているように、最も上の列に、個々の接点が、１〜２０として識別されている。図４に示されているように第２の列は、モジュールの上部接点列２６（図１参照）を表わし、下部列は、モジュールの下部接点列２０を表わしている。接点のうちの２つずつが、一対として構成された１本の回線を終端するのに必要とされる。バックボーン回線は、図４では、Ｐとして識別され、このＰは、ＰＯＴＳ（在来型電話システム）すなわちバックボーンシステムの略である。Ｓとして識別されている接点は、ワイヤをシールドするために提供されている。図４から明らかであるように、４つの加入者の回線は、対応する文字の前に付いた番号１〜４によって表わされているように下部列２０及び上部列２６の両方に２０の接点の列をもつ単一のモジュールによって終端され得る。
【００３６】
好都合にも、バックボーン回線は、下部２０及び上部接点列２６の両方で終端され得る。図４から明らかであるように、１Ｐとして識別された両方の列の最初の２つの接点は、第１の加入者のバックボーン回線のために提供されている。下部列の接点３及び４が、最初の加入者の加入者回線のために提供されている。その結果、上部列の接点３及び４は、ＸＤＳＬ回線を終端している。加入者回線のシールドワイヤは、シールドワイヤ接点として下部列２０の接点５に取り付けられ、この第５の接点は第１の加入者分を終端する。第６の接点で、第１の加入者分と鏡面対称になった、第２の加入者分を実施し、このことは、加入者３及び４について提供される接点１１〜２０についても同様にあてはまる。２つの異なる加入者のシールドワイヤ接点が、接点５及び６又は１５及び１６のそれぞれに並置されているという事実により、２つの部分のみにシールドワイヤ接点を電気的に接続するための対応する接点を構成することが必要となることから、これは整然とした配置をより充実し、接地用プレートの構成を単純にする。
【００３７】
図５及び６を参照すると、バックボーン回線を下部接点列２０及び上部接点列２６の両方によって終端できるという事実により、柔軟性の向上をいかにして達成できるかを例示している。図５の参照符号５２は、加入者の符号として識別している。全体を参照符号５４で識別している分配点において、加入者の回線は、いわゆる回線モジュール５６によって終端される。従来提供されているパッチング（交差接続）ジャンパ５８を介して、加入者は、柔軟な方法及び手段によりバックボーンモジュール６０に接続され、バックボーンモジュール６０自体は交換機（電話局）６２に接続される。ここで、本発明に基づく端子ブロック６４を、このような通常の配置内にループしなくてはならない場合、加入者回線は、線６６を用いて交差接続側を介して端子ブロック６４の下部接点列に誘導され、ここで、１つは、ＸＤＳＬ線６８によりＤＳＬＡＭ７０に信号を導き、もう１つは、スプリッタ３２により提供される分岐であり、端子ブロック６４のいわゆるバックボーン接点、好ましくは、図４から明らかであるように上部列及び下部列の両方に互いに電気的に接続されている上部列の接点に、ＰＯＴＳ信号を導くということであり、これは、端子ブロックの中に具備されたスプリッタによるものである。
【００３８】
図５に示されているように本発明に基づいて端子ブロック６４をループする時に、既存のバックボーンモジュール６０をそのまま残す場合、有利にも、パッチング（交差接続）側を介して、すなわち、既存のバックボーンモジュール６０に至る適切な線７２を介して下側に、本発明に従った端子ブロック６４のバックボーン接点を接続することによって、この接続はきわめて整然とした配置で可能である。そのとき、交差接続５８は削除できる（破線参照）。
【００３９】
ここで図６を参照すると、前記の状況とは反対に、いかにしてバックボーンモジュール６０を全て削除できるか（破線参照）が例示されている。図５に示されている回路と同様に、端子ブロック６４は、加入者５２から来た信号を、上部接点列２６にＸＤＳＬ接点によって終端され、ＤＳＬＡＭ７０に導かれるＸＤＳＬ信号に分岐する（図４参照）。同様にして、ＰＯＴＳ信号は、バックボーン回線７４を介して電話局６２まで、さらなるバックボーンモジュール６０を介在することなく上部側に導かれる。分配点の一般的アーキテクチャ及び整然とした配置を保持するため、バックボーン回線７４は、端子ブロック６４の上部接点列に終端される。この変形形態において、加入者モジュール５６への交差接続５８及び電話局に導く回線を含む従来のバックボーン端子モジュール６０を削除することができる。より具体的には、新たに加入者手段を構成する時、内蔵型スプリッタを有する本発明に従った端子ブロック６４により排他的に、バックボーンモジュールを形成することができる。さらに、本発明に従った端子ブロック６４を改造する場合、そして、それにより終端される回線を含むバックボーンモジュール６０を除去しようとする場合、既存のシステムから新しいシステムへの切替えは、本発明に従った分離を可能にする端子ブロックで接続することにより、中断が無い状態で実現することができる。すなわち、新しい端子ブロック６４は、それによって終端され、当初から分離用プラグにより分離されている全ての回線と一緒に設置される。次に、既存の回線が直接分離された後、かくして新しい接続を行なうため分離用プラグは除去される。しかしながら、バックボーンモジュール６０を残しておくべきである場合には、これも又、図５に示されている通り、単にこれを所定の位置に残し、交差接続５８を除去することによって可能であり、十分に試行されたアーキテクチャによる本発明に従い、バックボーンモジュールは、端子ブロック６４の交差接続側に接続される。
【００４０】
以下に示されている表は、さらに、図４に従った配線スキームに対する代替案として、本発明に従った端子ブロックの個々の接点をいかに配列するかのさらなる変形形態を示している。本発明に従った端子ブロックを、いわゆる水平構成、及びいわゆる垂直構成の両方に使用できるということも指摘しておかなくてはならない。なおここで「水平」及び「垂直」という語は、側面１２が、互いに隣り合って存在する状態で、互いの上か、又は横に並置された状態で、本発明に従った複数の端子ブロックが取付けられる細長いトラフ（trough）の配置に関するものである。従って、水平構成というのは、その接点列が上部から下部に並ぶように、個々の端子ブロックが垂直に配置されるという形で、このようなトラフが水平に取付けられていることを意味する。しかしながら、「水平配置」は、関連する技術分野において立証されたものとなっており、従ってこのように呼ばれるものとする。このようなトラフの水平取付け配置は、分配点、特に主配線盤のいわゆる交換機側で従来からあるアーキテクチャである。ケーブルがそこから交換機（電話局）の設備まで延びており、以前は「バックボーン側」としてつねに記述されてきたこの側は、すでに記述した通りトラフが従来から水平方向に取付けられている。従って、本発明に従った端子ブロックは、このようないわゆる構成に適していなければならず、又個々の導線により論理的かつ容易に再現可能な終端を可能にするものでなくてはならない。以下で示す表では、水平構成は、「ａ」と呼称される表の中で示されている。
【００４１】
最近では、記述された通りのトラフの垂直な方向のものは、いわゆる交換機側に関しても確立されたものとなっている。この場合、加入者端子ブロックすなわち加入者から来る導線が終端されるブロックが分配点の下部部分に提供され、一方、回線が、交換機設備まで導く端子ブロックから垂直の方向を向いたトラフが、分配点の上部部分に見い出されるようになっているという点で、加入者回線側は、交換機側と異なっている。これらの垂直に方向を向いたトラフは、その接点列が左から右へ延びるような形で水平方向に中心を合わせた状態で複数の端子ブロックを収容している。
【００４２】
従って、「ｂ」と識別された表の各々は、取付けられた端子ブロックから明らかなような個々の端子ブロックの配線を示している。すでに記述の通り、端子ブロックの接点列は、上記に説明されているように水平構成で上部から底部まで並んでいることから、上部から底部まで垂直方向に１〜２０の番号が付された接点に配線を示すことができる前に、「ａ」として識別される表を反時計回りに９０度だけ回転しなくてはならない。
【００４３】
【表１ａ】
2004528758.tif 000003
【００４４】
【表１ｂ】
2004528758.tif 000004
【００４５】
表１ａ、表１ｂは、本発明に従った端子ブロックについての現在好まれている配線の変形形態を示している。図４と比較すると、シールドワイヤのために具備された「ｓ」と識別された接地済み接点が、それぞれの加入者に対して分離されているということが明らかである。図４に従った配列の中のシールド接点ｓは、この配置と異なり、第１の加入者（接点１〜４）及び第２の加入者（接点７〜１０）に対して、接点５及び６と互いに隣接して配置され、一方、表１ａ、表１ｂに従った配列では、接点の同じ並びが各々の加入者について適用されている。水平構成の接点（表１ａ）は、つねに次の並び（接点１から２０、すなわち右から左へ）を有する、即ち、ＰＯＴＳ、ＸＤＳＬ又は回線、及びアース。垂直構成（表１ｂ）では、並び（ここでは左から右へ）は、水平構成と全く同じであり、有利なことに、各々の加入者について同じである。
【００４６】
このことは、同じ配列スキームが、各々の加入者に対して実現されていることから、端子ブロックを配線するときにいかなる混同もあり得ないという利点を提供する。その上、表１ａ、表１ｂに従った配列は、「アース」と呼称されたシールドワイヤのための接点が、ＸＤＳＬ又は加入者（回線）接点のすぐ隣りにあるという利点を有している。このように、関連する対のシースを接点の近隣で対応することが可能となり、その結果、使用されている速いデータ速度のケーブルのシースとの最適な接触が得られる。最後に、表１ａ、表１ｂに従った配線スキームに関して、このような端子ブロックについて、特にスプリッタアセンブリの回路板上の導線の経路指定に関して、差異が結果としてもたらされるということを記述しておかなくてはならない。従って、このような端子ブロックは、水平又は垂直の構成が実現されるか否かに応じて、適用されなくてはならない。ただし端子ブロックでの作業は、各加入者について同じ配線スキームがあてはまるという点で、前述のような決定的な利点を提供する。
【００４７】
表１ａ、表１ｂに従った配列、ならびに以下で詳述される予定のその他のあらゆる配列の変形形態に関して、記述されている通りの端子ブロックの配線及びその関連方法を、前述のようなＰＯＴＳ接点を二重にした構成とは別の１つの発明として見ることができる、という点を指摘しておかなくてはならない。換言すると、１つの新規な面は、端子ブロックがつねに、上記の要領で各加入者について同じ並びで、記述されている通りの方法及びワイヤを用いて配線されるという事実にある。この配線方法及びこのように配線された端子ブロックは、すでに記述した通り、配線中にいかなる混同もあり得ないこと、及び有利にもＸＤＳＬ接点又は加入者接点に直ぐ隣接してシールドワイヤに対応することがつねに可能であることといった利点を提供する。
【００４８】
【表２ａ】
2004528758.tif 000005
【００４９】
【表２ｂ】
2004528758.tif 000006
【００５０】
残りの表で示されている配列の代替案及びそれに関連する方法は、同様に、特定の利用分野において特別な利点を結果としてもたらすことができる。例えば、この場合ＸＤＳＬ又は回線、アース及びＰＯＴＳにおける同じ配列並びが、各々の加入者について表２ａ、表２ｂに従った配列においてつねに保持される。その上、アース接点をつねに、有利にもＸＤＳＬ接点又は回線接点に隣接して提供することができる。この実施形態の１つの利点は、アースに対する接点が、水平及び垂直の両方の構成について等しいということからなる。このことはすなわち、図２に示されているような接地用プレートを、アース接点に電気的に接続しているフィンガー接点４０に関して改変する必要がない、ということを意味している。その代り、両方の構成について、１つの同じ接地用プレート３８を使用することができ、その結果、使用されているコンポーネントは有利にも均一となる。
【００５１】
【表３ａ】
2004528758.tif 000007
【００５２】
【表３ｂ】
2004528758.tif 000008
【００５３】
ＸＤＳＬ及び回線接点及び２つのＰＯＴＳ接点が互いに直接対向しておらず、互いに交差するように交差存在している表３ａ、表３ｂに従った配列は、スプリッタアセンブリの回路板上の導線の経路指定に関する利点を提供する。この実施形態においては、各加入者について、同じ割当てスキームが同様に用いられる。アース接点がもはやＸＤＳＬ接点にすぐ隣接して位置づけされないという点の改変は、回路板導線についての利点から考えて、受容可能である。
【００５４】
【表４ａ】
2004528758.tif 000009
【００５５】
【表４ｂ】
2004528758.tif 000010
【００５６】
表４ａ、表４ｂに従った配置は、アースがＸＤＳＬ接点及び回線接点に対し直接隣接しているということを可能にする。このケースでのクロスオーバースキームは、幾分さらに複雑であることから、この実施形態は、特別入念にかつ混同無く配線が実施されると予想できる場合にのみ有利である。
【００５７】
【表５ａ】
2004528758.tif 000011
【００５８】
【表５ｂ】
2004528758.tif 000012
【００５９】
表５ａ、表５ｂに従った配列は、各々の加入者について同じ配列スキームを作成するという手間を省くことができる。むしろこのケースでは、アース接点がつねに回線接点に隣接して存在する状態で、ＰＯＴＳ接点及びＸＤＳＬ及び回線接点が組合わさる。かかる配線スキームは、特定の利用分野において１つの利点であり得る。
【００６０】
【表６ａ】
2004528758.tif 000013
【００６１】
【表６ｂ】
2004528758.tif 000014
【００６２】
表５ａ、表５ｂに従った配列によって提供される利点は、表６ａ、表６ｂに従った配列によって得ることもできる。この場合、アース接点は、整然とした配列及び接地用プレートの接地の単純化を結果としてもたらすように組合わされる。
【００６３】
【表７ａ】
2004528758.tif 000015
【００６４】
【表７ｂ】
2004528758.tif 000016
【００６５】
前述の実施形態では共通して、ＸＤＳＬ接点は各々のケースにおいて加入者回線側に、すなわち、主配線盤内の垂直構成では、加入者に導く接点が、主配線盤の下部部分にある側に配置されている。従って、回線接点は、交換機設備に導く側に位置づけされている。しかしながら、或る種の状況下では、回線接点が、加入者回線側、すなわち、表７ａ〜９に従った配列変形形態について示されているような垂直構成で上面にくるような形で、これを変更することもできるということが考えられる。このことはすなわち、本発明に従った端子ブロックの外側でのケーブルの経路指定のためには、それらをいわばブロックのまわりに導き、かくして、ブロックのコンジイット内に挿入し、そこから接点へと経路指定しなければならない。しかしながら、このような配列は、或る状況下では、有利でありうる。この差異を除いて、表７ａ、表７ｂに従った配列は表２ａ、表２ｂのものに対応し、同じく対応する利点を結果としてもたらす。表７ａ〜８ｂに従った配列変形態様に関しては、このケースにおいて、表中に示されているように、端子ブロックの上部ワイヤガイドのために幅広のワイヤガイドが採用され、一方、下部ワイヤガイドのためにはより小さな変形形態を採用してもよい、ということもさらに指摘しておくべきである。表１ａ〜６ｂに従った配列変形形態において、逆のこともあてはまる。
【００６６】
【表８ａ】
2004528758.tif 000017
【００６７】
【表８ｂ】
2004528758.tif 000018
【００６８】
表８ａ、表８ｂは、各加入者について有利にも同じ配列スキームが与えられ、各ケースにおいて回線又はＸＤＳＬ接点に隣接してアース接点を位置設定できるさらなる配列変形形態を示している。
【００６９】
図７に描かれている端子モジュール１０は、実質的に、以下の特殊な面を別にして、図１〜３に関連して記述した通りの端子モジュールに対応している。スプリッタアセンブリ３２間の接続は１つには、接点３４及び３６が、音叉形接点として形成され、エッジコネクタ７６を用いてスプリッタアセンブリ３２の回路板内に取付けられているという点で、異なる形で設計されている。音叉形接点３４、３６の２本の脚部は、実質的に接点４８の内部端部のまわりでグリップしている（図３参照）。
【００７０】
さらに、接地手段として役目を果たす接地用プレート３８は、特に図３に従った実施形態よりも大きい開口部４２を含むことから、同様に異なる形で構成される。さらに、スプリッタアセンブリ３２の回路板を所定の位置で支持し保つための適切な支持手段８０が備わったＬ字型部品７８が２つの側縁部に配置されている。その上、ここでは、接地用プレート３８の構成に関して、本書中に本出願の内容に対しその全開示がなされている同じ日付で当該出願人が提出した「接地用プレート及びそれを内含する電気通信モジュール及びモジュールを内含する電気通信ラック取付けシステム」という出願が、参考となる。
【図面の簡単な説明】
【００７１】
【図１】本発明に基づいた端子ブロックの１部分又はモジュールの斜視図である。
【図２】図１に示されている部分の立体分解斜視図である。
【図３】図１に示されている部分の断面図である。
【図４】本発明に基づいた端子ブロックの配線図である。
【図５】分配点内で本発明に基づいた端子ブロックを利用するための第１の変形形態の概略図である。
【図６】分配点内で本発明に基づいた端子ブロックを利用するための第２の変形形態の概略図である。
【図７】本発明に基づいた端子ブロックの一部分又はモジュールの第２の実施形態の内部コンポーネントの斜視図である。
【国際公開パンフレット】
2004528758.tif 000019
2004528758.tif 000020
2004528758.tif 000021
2004528758.tif 000022
2004528758.tif 000023
2004528758.tif 000024
2004528758.tif 000025
2004528758.tif 000026
2004528758.tif 000027
2004528758.tif 000028
2004528758.tif 000029
2004528758.tif 000030
2004528758.tif 000031
2004528758.tif 000032
2004528758.tif 000033
2004528758.tif 000034
2004528758.tif 000035
2004528758.tif 000036
2004528758.tif 000037
2004528758.tif 000038
2004528758.tif 000039
2004528758.tif 000040
2004528758.tif 000041
2004528758.tif 000042
2004528758.tif 000043
2004528758.tif 000044
2004528758.tif 000045
2004528758.tif 000046
2004528758.tif 000047
2004528758.tif 000048
2004528758.tif 000049
2004528758.tif 000050
2004528758.tif 000051
2004528758.tif 000052
2004528758.tif 000053
2004528758.tif 000054
2004528758.tif 000055
2004528758.tif 000056
2004528758.tif 000057
2004528758.tif 000058
2004528758.tif 000059
2004528758.tif 000060
2004528758.tif 000061
2004528758.tif 000062
2004528758.tif 000063
【国際調査報告】
2004528758.tif 000064
2004528758.tif 000065